(57)【要約】【課題】  既存の作業車に装備してある姿勢変更操作自在な作業用アームを利用して、ピットなどを必要に応じて、安い作業コストで、しかも、簡便に掘削できる掘削具を提供する。【解決手段】  地盤を突き崩し可能な爪部材１３と、吸引用ホース１４を接続自在な吸引用ノズル１６と、作業車に装備してある姿勢変更操作自在な作業用アームの先端部に対して着脱自在に取り付け可能な取付け部１７とを備え、爪部材をノズルの吸引口１８近くに設けて、爪部材で突き崩した土砂をノズルで吸引可能に構成してある。【選択図】        図１
0003116341.tif 000002
【実用新案登録請求の範囲】
【請求項１】
地盤を突き崩し可能な爪部材と、吸引用ホースを接続自在な吸引用ノズルと、作業車に装備してある姿勢変更操作自在な作業用アームの先端部に対して着脱自在に取り付け可能な取付け部とを備え、
前記爪部材を前記ノズルの吸引口近くに設けて、前記爪部材で突き崩した土砂を前記ノズルで吸引可能に構成してある掘削具。
【請求項２】
前記作業車が、作業用アームの先端部にバケットを着脱自在に取り付けてあるショベルカーであり、前記バケットに代えて前記作業用アームの先端部に対して取り付け可能な取付け部を設けてある請求項１記載の掘削具。
【考案の詳細な説明】
【技術分野】
【０００１】
本考案は、地盤を掘削するために使用する掘削具に関する。
【背景技術】
【０００２】
従来、例えばヘドロや汚物などの堆積物を掻き寄せて、能率良く吸引除去できるように、長手方向で複数に分割した吸引用チューブどうしを屈曲自在に連結すると共に、それらの吸引用チューブを駆動揺動させるためのシリンダを設けて、姿勢変更操作自在な吸引用アームを構成し、その吸引用アームの先端に開口している吸引口側に被吸引物を掻寄せるための掻寄せ具を設け、吸引用アームの基端側に吸引用フレキシブルホースを接続してあるバキューム作業車が提案されている（例えば、実用新案登録第２５８４２３０号公報参照）。
【考案の開示】
【考案が解決しようとする課題】
【０００３】
しかしながら、上記従来技術によれば、掘削土砂を吸引除去してピットなどを能率良く掘削するにあたって、姿勢変更操作自在な吸引用アームを備えた特別なバキューム作業車が必要で、作業コストが高く付くと共に、必要に応じて簡便に掘削できない欠点がある。
本考案は上記実情に鑑みてなされたものであって、既存の作業車に装備してある姿勢変更操作自在な作業用アームを利用して、ピットなどを必要に応じて、安い作業コストで、しかも、簡便に掘削できる掘削具を提供することを目的とする。
【課題を解決するための手段】
【０００４】
本考案による掘削具の第１特徴構成は、地盤を突き崩し可能な爪部材と、吸引用ホースを接続自在な吸引用ノズルと、作業車に装備してある姿勢変更操作自在な作業用アームの先端部に対して着脱自在に取り付け可能な取付け部とを備え、前記爪部材を前記ノズルの吸引口近くに設けて、前記爪部材で突き崩した土砂を前記ノズルで吸引可能に構成してある点にある。
【０００５】
〔作用及び効果〕
地盤を突き崩し可能な爪部材と、吸引用ホースを接続自在な吸引用ノズルとを備え、爪部材をノズルの吸引口近くに設けて、爪部材で突き崩した土砂をノズルで吸引可能に構成してあるので、爪部材で地盤を突き崩しながら、その突き崩した土砂をノズルで吸引除去して、ピットなどを能率良く掘削できる。
特に、爪部材で突き崩した地盤の土砂をノズルで吸引除去できるので、作業者が入り込めないような小さなピットでも能率良く掘削できる。
そして、作業車に装備してある姿勢変更操作自在な作業用アームの先端部に対して着脱自在に取り付け可能な取付け部を備えているので、従来のような姿勢変更操作自在な吸引用アームを備えたバキューム作業車を使用するようなことなく、既存の作業車に装備してある姿勢変更操作自在な作業用アームを利用して、その作業用アームの先端部に取り付けて、ピットなどを必要に応じて、安い作業コストで、しかも、簡便に掘削できる。
【０００６】
本考案による掘削具の第２特徴構成は、前記作業車が、作業用アームの先端部にバケットを着脱自在に取り付けてあるショベルカーであり、前記バケットに代えて前記作業用アームの先端部に対して取り付け可能な取付け部を設けてある点にある。
【０００７】
〔作用及び効果〕
作業車が、作業用アームの先端部にバケットを着脱自在に取り付けてあるショベルカー、つまり、作業現場において使用されることが多い作業車であり、そのバケットに代えて作業用アームの先端部に対して取り付け可能な取付け部を設けてあるので、一層、安い作業コストで、しかも、簡便に掘削できる。
【考案を実施するための最良の形態】
【０００８】
以下に本考案の実施の形態を図面に基づいて説明する。
図１は本考案による金属製の掘削具Ａを示し、図３はこの掘削具Ａを装着可能な作業用アーム１を装備してある作業車の一例としてのバックホウ（ショベルカー）Ｂを示している。
【０００９】
前記バックホウＢは、図３に示すように、旋回台２に上下揺動自在に支持してあるブーム３の先端側にアーム４を上下揺動自在に支持して作業用アーム１を構成してあり、この作業用アーム１は、油圧シリンダ５によるブーム３の駆動揺動操作と、油圧シリンダ６によるアーム４の駆動揺動操作と、旋回台２の駆動旋回操作とによって、姿勢変更操作自在に設けてあり、作業用アーム１の先端部にバケット７を着脱自在に連結してある。
【００１０】
前記バケット７は、油圧シリンダ８の伸縮ロッド９とアーム４とを揺動リンク部材１０で連結するとともに、バケット７に固定してある取付けブラケット１１のバケット口側近くをアーム４の先端側に上下揺動自在に連結し、取付け部ブラケット１１のバケット底側近くと伸縮ロッド９とを連結リンク部材１２で連結して、油圧シリンダ８の伸縮作動で作業用アーム１に対して上下揺動操作自在に設けてある。
【００１１】
前記掘削具Ａは、図１に示すように、地盤を突き崩し可能な爪部材１３と、吸引装置のフレキシブル吸引用ホース１４を接続自在な接続部１５を備えた吸引用ノズル１６と、図２にも示すように、バックホウＢの作業用アーム１の先端部に対して着脱自在に取り付け可能な取付け部１７とを一体に備えている。
【００１２】
前記ノズル１６は、一端側を湾曲させた円筒状に形成して、ホース１４の接続部１５をその湾曲側開口部周りに設け、他端側開口部を吸引口１８に構成してある。
【００１３】
前記爪部材１３は、先端側ほど薄肉の板状爪本体１９に、吸引口１８周りのノズル部分に外嵌固定自在な固定部２０を一体に設けて構成してあり、爪本体１９がその板面を吸引口１８側に向けて吸引口１８よりも突出するように、爪部材１３を吸引口１８近くに一体に固定して、爪部材１３で突き崩した土砂をノズル１６で吸引可能に構成してある。
【００１４】
前記取付け部１７は、バケット７の取付けブラケット１１と同様にアーム４の先端と連結リンク部材１２とに連結可能な取り付けブラケットを、ノズル１６の湾曲部における大径側に沿って一体に設けて、掘削具Ａを、バケット７と同様に、油圧シリンダ８の伸縮作動で作業用アーム１に対して上下に揺動操作できるように構成してある。
【００１５】
そして、図２に示すように、バケット７に代えて、掘削具Ａを作業用アーム１の先端部に取り付けるとともに、接続部１５にホース１４を接続して、爪部材１３で地盤を突き崩しながら、その突き崩した土砂をノズル１６で吸引除去できるように構成してある。
【００１６】
〔その他の実施形態〕
１．本考案による掘削具は、ブレーカと同様な打撃装置を備えていて、爪部材で地盤を打撃して破砕できるように構成してあっても良い。
２．本考案による掘削具は、爪部材と吸引用ノズルとを互いに着脱自在に備えていても良い。
【図面の簡単な説明】
【００１７】
【図１】（イ）掘削具の側面図  （ロ）掘削具の下端面図  （ハ）掘削具の斜視図
【図２】掘削具の説明図
【図３】作業車の概略側面図
【符号の説明】
【００１８】
１    作業用アーム
７    バケット
１３  爪部材
１４  吸引用ホース
１６  吸引用ノズル
１７  取付け部
１８  吸引口
Ｂ    作業車
【図１】
0003116341.tif 000003
【図２】
0003116341.tif 000004
【図３】
0003116341.tif 000005